(57)【要約】  【課題】  記録再生装置において、テープを損傷させずに安定走行が可能な技術を提供する。  【解決手段】  テープガイドとして、テープ幅方向中央部の外径寸法が両端側の外径寸法よりも小さい第１のテープガイド部材と、テープ幅方向中央部の外径寸法が両端側の外径寸法よりも大きい第２のテープガイド部材とを対にして、ヘッドのテープ進入側、テープ退出側のいずれか一方または両方に備え、第１のテープガイド部材では、テープの非記録面側に当接してヘッドへのテープ巻付け状態を規定し、第２のテープガイド部材では、テープの記録面側に当接して第１のテープガイド部材へのテープ巻付け状態を規定する。【選択図】  図１
2005174411.tif 000002
【特許請求の範囲】
【請求項１】
テープガイドで走行規制したテープに対しヘッドにより信号を記録または再生する記録再生装置であって、
上記テープガイドが、テープ幅方向中央部の外径が両端側の外径よりも小さくされ上記テープの非記録面側に当接して上記ヘッドへのテープ巻付け状態を規定する第１のテープガイド部材と、該第１のテープガイド部材と組合せて配され、テープ幅方向中央部の外径が両端側の外径よりも大きくされテープの記録面側に当接して該第１のテープガイド部材へのテープ巻付け状態を規定する第２のテープガイド部材とから成る構成を特徴とする記録再生装置。
【請求項２】
上記テープガイドは、上記第１のテープガイド部材が、上記第２のテープガイド部材よりも上記ヘッドから近い位置に配される構成である請求項１に記載の記録再生装置。
【請求項３】
上記テープガイドは、テープ幅方向中央部の外径と両端側の外径との差が、上記第１のテープガイド部材と上記第２のテープガイド部材とで略等しくされた構成である請求項１または請求項２に記載の記録再生装置。
【請求項４】
上記テープガイドは、上記第１のテープガイド部材の中心軸を通る断面の凹状外形部を形成する曲線と、上記第２のテープガイド部材の中心軸を通る断面の凸状外形部を形成する曲線とが、テープ当接範囲において略同じ形状及び寸法とされた構成である請求項１または請求項２に記載の記録再生装置。
【請求項５】
上記テープガイドは、上記第１のテープガイド部材の中心軸を通る断面の凹状外形部の曲率と、上記第２のテープガイド部材の中心軸を通る断面の凸状外形部の曲率とが略等しくされた構成である請求項１または請求項２に記載の記録再生装置。
【請求項６】
上記テープガイドが、上記ヘッドに対しテープ進入側とテープ退出側との両方に配される請求項１または請求項２に記載の記録再生装置。
【請求項７】
記録再生装置において記録媒体のテープを走行規制するテープガイドであって、
テープ幅方向中央部の外径が両端側の外径よりも小さくされ上記テープの非記録面側に当接して上記ヘッドへのテープ巻付け状態を規定する第１のテープガイド部材と、該第１のテープガイド部材と組合せて配され、テープ幅方向中央部の外径が両端側の外径よりも大きくされテープの記録面側に当接して該第１のテープガイド部材へのテープ巻付け状態を規定する第２のテープガイド部材とを備えて成ることを特徴とするテープガイド。
【発明の詳細な説明】
【技術分野】
【０００１】
本発明は、記録再生装置におけるテープ走行用のテープガイド技術に関する。
【背景技術】
【０００２】
近年、磁気テープを使用した記録再生装置においては、大容量化を図るために磁気テープ厚を薄くし、テープカートリッジに収納できるテープ長を極力長くする傾向にある。一方、磁気テープ上に記録される１本の記録トラック幅は、線密度を上げるために狭小化の傾向にある。例えば大容量のテープストリーマに使われている固定ヘッド方式の記録再生装置では、テープ幅を有効に使用するために、テープ両端近傍までテープ走行方向と平行な信号トラックが数百本記録される。このため、テープ幅方向の走行変動を抑えて高精度なトラッキング性能を確保する必要がある。
一般に、走行中の磁気テープの幅方向変動を抑えて安定走行させるためには、テープを案内するために設けられたテープガイドと、該テープガイドの端部側に設けられたフランジ部によってテープ面とテープ端を規制保持する。しかしながら、テープの薄手化により、特にテープ幅方向の剛性は著しく低下し、複数のテープガイドフランジによる幅規制でテープ端部は傷付き易くなる。テープ端部に傷が付くと、トラッキング性能は損なわれ、さらにはテープ端部から脱落した磁性紛がテープ記録面に付着し、記録再生特性の劣化、ヘッド目詰まり、ヘッド破損などを引起すおそれがある。
【０００３】
上記問題に対する対策技術としては、例えば、特開平５-１５１６６６号公報（特許文献１）に記載されたものがある。該公報には、磁気テープのカールやダメージを低減した状態で、磁気テープ走行高さ位置を精度良く規制するために、磁気テープの上下両端面に接して磁気テープを押圧する斜面及び磁気テープ摺動面を有する第１のガイド手段と、第１のガイド手段より磁気ヘッド近傍に存在し磁気テープの上下両端に接して磁気テープの最終走行高さ位置を規定する平面及び磁気テープ摺動面を有する第２のガイド手段とを備えて成るテープガイドが記載されている。
【０００４】
【特許文献１】特開平５-１５１６６６号公報
【発明の開示】
【発明が解決しようとする課題】
【０００５】
上記従来技術では、テープ端部の稜線部とテープガイドフランジのテーパ面（斜面）が線接触し、該稜線部で過度の応力集中が起き易くなる。過度の応力集中が起きると、潰れた稜線部からテープ端部全体の損傷に発展する可能性があり、該損傷の場合はヘッド部でのトラッキング性能の維持が困難となる。また、ヘッド近傍にテープの記録面側からテーパ状フランジを有するテープガイドを配した場合、テープ端部がヘッドから離れる方向に変形するため、テープ端部でのヘッドとテープの面圧が低下し、所望のヘッド記録特性及び再生出力が得られない場合がある。
本発明の課題点は、上記従来技術の状況に鑑み、テープ状記録媒体を用いた記録再生装置において、超薄手テープ等を用いた場合でも、テープ端部を損傷させることなく、ヘッド部でのテープの安定走行を確保できるようにするとともに、安定したヘッド記録特性及び再生出力を得られるようにすることである。
本発明の目的は、かかる課題点を解決できるテープガイド技術の提供にある。
【課題を解決するための手段】
【０００６】
上記課題点を解決するために、本発明では、記録再生装置が、テープガイドとして、テープ幅方向中央部の外径寸法が両端側の外径寸法よりも小さい第１のテープガイド部材と、テープ幅方向中央部の外径寸法が両端側の外径寸法よりも大きい第２のテープガイド部材とを対にして、ヘッドのテープ進入側、テープ退出側のいずれか一方または両方に備え、第１のテープガイド部材では、テープの非記録面側に当接してヘッドへのテープ巻付け状態を規定し、第２のテープガイド部材では、テープの記録面側に当接して上記第１のテープガイド部材へのテープ巻付け状態を規定する。
【発明の効果】
【０００７】
本発明によれば、記録再生装置において、テープ端部を損傷させることなくテープの安定走行を確保でき、安定したヘッド記録特性及び再生出力が得られる。
【発明を実施するための最良の形態】
【０００８】
以下、本発明を実施するための最良の形態につき、図面を用いて説明する。
図１〜図５は本発明の第１の実施形態の説明図である。図１は、本発明の第１の実施形態としての記録再生装置におけるテープガイドの構成を示す正面図、図２は、図１のテープガイドを用いたテープ走行路を示す上面図、図３及び図４は、図２のテープ走行路の一部を拡大して示す図、図５は、テープガイド及びヘッド装置部を走行するテープのテンション分布の説明図である。
【０００９】
図１において、１は磁気テープ、２は信号記録再生用のヘッド装置、３、４は、ヘッド装置２の近傍でテープの走行案内を行う第１のテープガイド部材、５、６は、第１のテープガイド部材の近傍に配され、テープリール（図示せず）側でテープの走行案内を行う第２のテープガイド部材、３ａ、４ａは、第１のテープガイド部材３、４において磁気テープ１が摺動するスリーブ、３ｂ、３ｃ及び４ｂ、４ｃは、第１のテープガイド部材３、４において磁気テープ１の脱落防止のために設けられているフランジ部、５ａ、６ａは、第２のテープガイド部材５、６において磁気テープ１が摺動するスリーブ、５ｂ、５ｃ及び６ｂ、６ｃは、第２のテープガイド部材５、６において磁気テープ１の脱落防止のために設けられているフランジ部である。スリーブ３ａ、４ａはそれぞれ、テープ幅方向中央部の外径Ｄ１が、その両端側のテープ端部が走行する位置の外径Ｄ２よりも小さくされている（Ｄ１＜Ｄ２）。フランジ部３ｂ、３ｃ及びフランジ部４ｂ、４ｃは、スリーブ３ａ、４ａ端部の外径よりも大きな外径を有している。スリーブ５ａ、６ａは、テープ幅方向中央部の外径Ｄ３が、その両端側のテープ端部が走行する位置の外径Ｄ４よりも大きくされている（Ｄ３＞Ｄ４）。フランジ部５ｂ、５ｃ及びフランジ部６ｂ、６ｃは、スリーブ５ａ、６ａ端部の外径よりも大きな外径を有している。ヘッド装置２は、記録再生用の複数のヘッド配列部２ａを有し、ヘッド装置２全体が矢印Ａの方向に移動することにより、磁気テープ１上の記録トラック数を増加させる。例えばデータストリーマなどにおいては、かかるヘッド装置構成により、磁気テープ１の幅方向記録領域を有効に使うことが可能となる。
【００１０】
また、図２において、１ａは、信号が記録される磁気テープの記録面、１ｂは非記録面、７、８はそれぞれ、第３のテープガイド部材であって、うち７は、第２のテープガイド部材５の供給テープリール側に配され該第２のテープガイド部材５への磁気テープ１の巻付けを規定する第３のテープガイド部材、８は、第２のテープガイド部材６の巻取りテープリール側に配され該第２のテープガイド部材６への磁気テープ１の巻付けを規定する第３のテープガイド部材である。
【００１１】
上記図１、図２の構成において、供給テープリール（図示せず）から導き出された磁気テープ１は、図１中の矢印Ｂ方向に走行し、記録面１ａ（図１の紙面裏側）側が第２のテープガイド部材５に所定角度巻付いた後、第１のテープガイド部材３に対し非記録面１ｂ側が所定角度巻付き、ヘッド装置２へと進入する。ヘッド装置２に所定角度巻付いた磁気テープ１は、非記録面１ｂ側が第１のテープガイド部材４に所定角度巻付き、次に第２のテープガイド部材６に記録面１ａ側が所定角度巻付いて走行し、巻取りテープリール（図示なし）に巻き取られる。
【００１２】
図３は、図２の磁気テープ１の走行方向（矢印Ｃの方向）から見たときの、第１のテープガイド部材３からヘッド装置２へ至るテープ走行路の部分拡大図である。ヘッド装置２は斜め後方から見た図である。図３において、磁気テープ１の幅方向中心点Ｐはヘッド装置２の稜線２ｂ上に位置しているのに対し、テープ端部Ｐ１、Ｐ２はヘッド装置２の稜線２ｂに対して喰い込む状態となっている。この結果、磁気テープ１のテープ中央部に対して、テープ端部のテンションが高くなる。
【００１３】
図４は、図２の磁気テープ１の走行方向（矢印Ｄの方向）から見たときの、第２のテープガイド部材５から第１のテープガイド部材３へ至るテープ走行路の部分拡大図である。図４において、磁気テープ１の幅方向中心点Ｐ及びテープ端部Ｐ１、Ｐ２は、第１のテープガイド部材３のスリーブ３ａの稜線上に位置している。このため、該部分のテープ走行路では磁気テープ１の幅方向にテープ歪みによるテンション分布のアンバランスは発生しにくくなる。
【００１４】
図５は、第２のテープガイド部材５、６間の磁気テープ１の幅方向のテンション分布の説明図である。矢印の長さがテンションの大きさを示す。本図５において、第１のテープガイド部材３、４間では、上記理由より、磁気テープ１の端部近傍のテンションＴ１、Ｔ２が中央部近傍のテンションＴよりも大きい。ここで、テープ表面とガイド表面との摩擦係数をμ、ガイドへのテープ巻付け角度をθとするとき、テープの幅方向の移行力Ｆは、下記数１で表される。
Ｆ＝２μ・Ｔ・sin（θ／２）                        …（数１）
第１のテープガイド部材３、４間では、上記μ及びθは同一条件であるため、Ｔの大きい磁気テープ１の端部近傍でのテープ移行力が、テープ中央部近傍よりも大きくなるため、磁気テープ１は、矢印Ｅ、Ｆで示すように、テープの中央部に向かう方向に移動しようとする。本実施形態の場合は、テープ端部近傍のテンションＴ１、Ｔ２が同等になるように、第１のテープガイド部材３、４のスリーブ３ａ、４ａのテープ摺動部形状をテープ幅方向で対称形状としている。このため、矢印Ｅ及びＦの上下方向の力は略等しくなり、磁気テープ１は第１のテープガイド部材３、４の略中央付近の所定高さ位置に留まりいわゆるセンタリングされた状態で走行する。この時、図示のように、第１のテープガイド部材３、４のフランジ部３ｂ、３ｃ、４ｂ、４ｃと磁気テープ１の端部とは接触していない。これにより、磁気テープ１の繰り返し走行における端部の傷付きを抑えることができ、装置の信頼性を向上させることが可能となる。ここで、第１のテープガイド部材３、４のスリーブ３ａ、４ａの凸部形状の具体的な寸法としては、例えば、１／２インチ幅テープを用いるシステムの場合、テープ幅方向のカッピング（面外変形）を考慮して、曲率Ｒは、１０×１０−３ｍ〜４０×１０−３ｍ程度に設定するのが望ましい。また、テープの巻付け角は、安定な走行を確保するために、３０°〜６０°程度が望ましい。
【００１５】
また、図５において、第２のテープガイド部材５と第１のテープガイド部材３は、図４で説明したように、該両テープガイド部材間でのテープ幅方向のテンション分布のアンバランスを打消し合うように作用する。この結果、該部分の磁気テープ１のテープ幅方向のテンション分布が略均一に保たれ、上記テープ移行力（矢印Ｅ方向）への影響をなくすようにできる。同様に、第１のテープガイド部材４と第２のテープガイド部材６も、該両テープガイド部材間でのテープ幅方向のテンション分布のアンバランスを打消し合うように作用し、結果として該部分の磁気テープ１のテープ幅方向のテンション分布が略均一に保たれ、上記テープ移行力（矢印Ｆ方向）への影響をなくすようにできる。また、第２のテープガイド部材５、６においては，図中Ｇ、Ｈで示すように、第１のテープガイド部材３、４とは逆のテンション分布となり、磁気テープ１にはテープ中央部からテープ端部にかけて移行力が働くが、第２のテープガイド部材５、６のスリーブ５ａ、６ａのテープ摺動部形状をテープ幅方向で対称形状とすることで、第１のテープガイド部材３、４と同様、移行力のバランスをとることが可能となり、磁気テープ１は第２のテープガイド部材５、６の略中央付近の所定高さに留まって走行する。この時、図示のように、第２のテープガイド部材５、６のフランジ部５ｂ、５ｃ、６ｂ、６ｃと磁気テープ１の端部とは、第１のテープガイド部材３、４の場合と同様、互いに接触することなく磁気テープ１の走行が可能である。これにより、テープ走行路全般にわたり、テープ走行の安定化と、走行信頼性の向上を図ることができる。さらに、ヘッド装置２において、磁気テープ１端部近傍は、前述のようにテープテンションが高い状態となるため、ヘッド装置２と磁気テープ１との接触面圧を十分な値にすることができる。このため、テープ端部近傍のヘッド記録特性の劣化を防止して、該テープ端部近傍における再生出力を、テープ中央付近の再生出力と同等のレベルに保つことが可能となる。
【００１６】
上記のように、本発明の第１の実施形態によれば、磁気テープ１のテープ幅方向のセンタリングを容易かつ確実に行うことができるため、テープ端部がテープガイド部材のフランジ部に接触することなく該磁気テープ１を走行させることが可能になるとともに、該テープ幅方向のテンション分布の不均一性の是正も行われる結果、超薄手テープなどにおいても、たるみやしわなどの発生が防止され、走行安定性を向上させることができる。よって、テープ端部の傷付きや、脱落した磁性紛による記録再生特性の劣化を防止することができる。また、ヘッド装置２の位置においてテープ端部のテープテンションを増大させることができるため、テープ端部でも良好なテープ・ヘッド間接触を実現できるようになる。従って、出力劣化、変動のない良好なヘッド出力の確保と併せ、優れたトラッキング性能も確保でき、記録再生の信頼性向上を図ることが可能となる。
【００１７】
図６及び図７は、本発明の第２の実施形態の説明図であって、本発明の第２の実施形態としての記録再生装置におけるテープガイドの構成を示す図である。図６は第１のテープガイド部材、図７は第２のテープガイド部材の構成例を示す。本構成では、第１のテープガイド部材は、中心軸を通る断面の凹状外形部が、交差する２直線によって形成され、第２のテープガイド部材は、中心軸を通る断面の凸状外形部が、交差する２直線によって形成される。
【００１８】
図６において、３'は第１のテープガイド部材、３'ａはスリーブ、３'ｂ、３'ｃはフランジ部である。本構成では、スリーブ３'ａの中央部と端部とが直線的に結ばれる。また、図７において、５'は第２のテープガイド部材、５'ａはスリーブ、５'ｂ、５'ｃはフランジ部である。本図７の構成でも、スリーブ５'ａの中央部と端部とが直線的に結ばれる。かかる構成の第１のテープガイド部材３'と第２のテープガイド部材５'は、上記第１の実施形態における第１のテープガイド部材３と第２のテープガイド部材５と同じように対にして、ヘッド装置の両側または片側に配する。
【００１９】
上記第２の実施形態によっても、上記第１の実施形態の場合と同様、磁気テープ１のテープ幅方向のセンタリングを容易かつ確実に行うことができ、テープガイド部材のフランジ部にテープ端部が接触することなく該磁気テープ１を走行させることが可能になる。それとともに、該テープ幅方向のテンション分布の不均一性の是正もなされる。また、良好なテープ・ヘッド間接触や優れたトラッキング性能の確保も可能となる。
【００２０】
図８及び図９は、本発明の第３の実施形態の説明図であって、本発明の第３の実施形態としての記録再生装置におけるテープガイドの構成を示す図である。図８は第１のテープガイド部材、図９は第２のテープガイド部材の構成例を示す。本構成では、第１のテープガイド部材は、中心軸を通る断面の凹状外形部が、交差する３直線によって形成され、第２のテープガイド部材は、中心軸を通る断面の凸状外形部が、交差する３直線によって形成される。図８において、３''は第１のテープガイド部材、３''ａはスリーブ、３''ｂ、３''ｃはフランジ部である。本図８の構成では、スリーブ３''ａは、その中央部が外径Ｄ５の磁気テープ１の幅寸法よりも短いストレート部Ｓとされ、両端部はテーパ面が形成されたテーパ部Ｓ１、Ｓ２とされ、該テーパ部Ｓ１、Ｓ２に磁気テープ１の幅の一部が当接されるようになっている。また、図９において、５''は第２のテープガイド部材、５''ａはスリーブ、５''ｂ、５''ｃはフランジ部である。本図９の構成では、スリーブ５''ａは、その中央部が外径Ｄ６の磁気テープ１の幅寸法よりも短いストレート部Ｓとされ、両端部はテーパ面が形成されたテーパ部Ｓ１、Ｓ２とされ、該テーパ部Ｓ１、Ｓ２に磁気テープ１の幅の一部が当接されるようになっている。かかる構成の第１のテープガイド部材３''と第２のテープガイド部材５''は、上記第１の実施形態における第１のテープガイド部材３と第２のテープガイド部材５と同じように対にして、ヘッド装置の両側または片側に配する。
上記第３の実施形態によっても、上記第１、第２の実施形態の場合と同様の顕著な効果を得ることができる。
【００２１】
なお、テープガイドの構成は、上記説明した実施形態に限定されるものではなく、発明の技術思想の範囲内であれば、例えば、中心軸を通る断面の凹状外形部及び凸状外形部がそれぞれ、交差する４本以上の直線によって形成される構成等、上記実施形態と異なる他の構成であってもよい。また、本発明の第１のテープガイド、及び第２のテープガイドのスリーブ部は、回転型、非回転型のどちらであってもよい。
【図面の簡単な説明】
【００２２】
【図１】本発明の第１の実施形態としての記録再生装置におけるテープガイド構成を示す正面図である。
【図２】図１のテープガイドを用いたテープ走行路を示す上面図である。
【図３】図２のテープ走行路の拡大図である。
【図４】図２のテープ走行路の拡大図である。
【図５】テープのテンション分布の説明図である。
【図６】本発明の第２の実施形態としての記録再生装置における第１のテープガイド部材を示す図である。
【図７】本発明の第２の実施形態としての記録再生装置における第２のテープガイド部材を示す図である。
【図８】本発明の第３の実施形態としての記録再生装置における第１のテープガイド部材を示す図である。
【図９】本発明の第３の実施形態としての記録再生装置における第２のテープガイド部材を示す図である。
【符号の説明】
【００２３】
１…磁気テープ、
２…ヘッド装置、
３、４、３'、３''…第１のテープガイド部材、
５、６、５'、５''…第２のテープガイド部材、
３ａ、４ａ、５ａ、６ａ、３'ａ、５'ａ、３''ａ、５''ａ…スリーブ、
３ｂ、３ｃ、４ｂ、４ｃ、５ｂ、５ｃ、６ｂ、６ｃ、３'ｂ、３'ｃ、５'ｂ、５'ｃ、３''ｂ、３''ｃ、５''ｂ、５''ｃ…フランジ部、
７、８…第３のテープガイド部材。
【図１】
2005174411.tif 000003
【図２】
2005174411.tif 000004
【図３】
2005174411.tif 000005
【図４】
2005174411.tif 000006
【図５】
2005174411.tif 000007
【図６】
2005174411.tif 000008
【図７】
2005174411.tif 000009
【図８】
2005174411.tif 000010
【図９】
2005174411.tif 000011